(57)【要約】【課題】軽量気泡コンクリートパネルに固定ボルトを挿入ための貫通孔を設ける必要が無く、ほこりの量を少なくでき、かつ共回りすることなく取付け作業ができる軽量気泡コンクリートパネルの固定ボルトを提供することである。【解決手段】ボルト頭部は外形が略円形または多角形のフランジからなるとともに、該フランジの裏面には突起部があり、且つボルト軸部にはナットを螺合するネジ部を設けると共に先端には軽量気泡コンクリートパネルに貫入する刃を備えてなることを特徴とする軽量気泡コンクリートパネルの固定ボルトとする。【選択図】　図２
2004011678.tif 000002
【特許請求の範囲】
【請求項１】
ボルト頭部は外形が略円形または多角形のフランジからなるとともに、該フランジの裏面には突起部があり、且つボルト軸部にはナットを螺合するネジ部を設けると共に先端には軽量気泡コンクリートパネルに貫入する刃を備えてなる事を特徴とする軽量気泡コンクリートパネルの固定ボルト。
【請求項２】
ボルト軸部にねじ山を設けない部分を設け、かつ軸径をねじ径より細くしたことを特徴とする請求項１に記載の軽量気泡コンクリートパネルの固定ボルト。
【請求項３】
ボルト軸部のねじ部にスリットを設けたことを特徴とする請求項１に記載の軽量気泡コンクリートパネルの固定ボルト。
【発明の詳細な説明】
【０００１】
【発明の属する技術分野】
本発明は、軽量気泡コンクリート（ＡＬＣ）パネルの取付け等に使用される固定ボルトに関するものである。
【０００２】
【従来の技術】
従来、軽量気泡コンクリート（ＡＬＣ）パネルの取付け等に使用されるボルトなどとしては次のような公知技術がある。
第１の従来例としては、例えば特許２８３５４８５号に記載されているような上部に雄ねじ部があり、他端側に掛止部となるフック部分を設けたほぼ円形断面のフックボルトがある。このフックボルトを用いてＡＬＣパネルを取付けるにあたっては、該フックボルトの雄ねじがある一端側を、あらかじめＡＬＣパネルの貫通孔を設けた上で、裏面より該ＡＬＣパネルの貫通孔に挿通し、該フックボルトの一端側に座金を入れ、ナットを該フックボルトの雄ねじに螺合させて回し、ＡＬＣパネルにフックボルトを仮止めする。そして次に、ＡＬＣパネルをＨ形鋼からなる梁（あるいは柱）の所定位置に載置し、該フックボルトを回転させ他端側の掛止部を梁のフランジに引掛け、ナットを回して本締めを行った後に、溶接によって該フックボルトを梁に固定して、ＡＬＣパネルを該梁（あるいは柱）に取付けるというものである。
【０００３】
第２の従来例としては、特開２００１−４９７７８号に記載されているような、抵抗突起体が裏面に突設された頭板部とナットを螺合するネジ軸部とからなる固定ボルトがある。この固定ボルトを用いて、ＡＬＣパネルを取付けるにあたっては、ＡＬＣパネルに貫通孔を形成し、該ＡＬＣパネルをＨ形鋼からなる梁の所定位置に載置する。次に該ＡＬＣパネルの貫通孔の下側に、前記Ｈ形鋼からなる梁に引っ掛けて固定金具を配置し、該固定ボルトをＡＬＣパネルの貫通孔に挿入し、固定ボルトのネジ軸部を前記固定金具のボルト挿通孔に挿通し、下方からナットを固定ボルトのネジ軸部に螺合させ、固定ボルトの頭板部と固定金具とでＡＬＣパネルを挟持して、ＡＬＣパネルをＨ形鋼からなる梁に取付けるというものである。
【０００４】
第３の従来例としては、特開平５−１４８９２９号に記載されているような、セルフドリルビスで、ＡＬＣパネルをＨ型鋼からなる梁に溶接やボルト止め等により固定された断面Ｃ字型状の薄肉鋼製部材に載置し、該セルフドリルビスにより該ＡＬＣパネルをビス固定するというものである。
しかしながら、前述の第１及び第２の従来例では、フックボルトや固定ボルトを挿入する貫通孔を設ける必要があり、取付け現場で開ける時に大量のほこりが発生する。これを防ぐためには製造工場などであらかじめ貫通孔を開けておく必要があった。
【０００５】
また、第３の従来例では、セルフドリルビスによる固定が提案されているが、ビスが下地材の断面Ｃ字型状の薄肉鋼製部材を貫通螺合するためには、一般的には、１．８ｍｍ〜３．２ｍｍ程度の薄肉とする必要があり、これ以上厚くすると作業性が極めて悪くなる等の問題があった。また、鋼製部材を螺合するためのビスの材質も限定され、焼き入れされた硬度の高い先端を持つビスが用いられていた。さらにこのように固定された場合でも、下地材が薄いためビスの螺合部分が小さく、振動などで緩む可能性や、螺合部分の下地材の腐食で強度が保たれない恐れがあった。
【０００６】
【発明が解決しようとする課題】
本発明の課題は、ＡＬＣパネルに固定ボルトを挿入ための貫通孔を設ける必要が無く、ほこりの量を少なくでき、かつ共回りすることなく取付け作業ができるＡＬＣパネル固定ボルトを提供することである。
【０００７】
【課題を解決するための手段】
上記課題を解決する本発明の固定ボルトは、ボルト頭部は外形が略円形または多角形のフランジからなるとともに、該フランジの裏面には突起部があり、且つボルト軸部にはナットを螺合するネジ部を設けると共に先端には軽量気泡コンクリートパネルに貫入する刃を備えてなる事を特徴とする軽量気泡コンクリートパネルの固定ボルトである。
【０００８】
このように本発明のＡＬＣパネル固定ボルトは、上述の如く構成したので、ＡＬＣパネルの表面から電動ドリル等を用いて該固定ボルトを下穴なしで貫入することが可能となる。固定ボルト頭部のフランジの裏面に設けた突起部により、ボルトの貫入作業時に必要な深さまで埋設できる。さらに、固定ボルトのネジ軸部にナットを螺合する時にはこの突起がＡＬＣパネルに食い込むため、共回りを防止することができる。
【０００９】
例えば、ＡＬＣパネルで床を構成する場合に、この固定ボルトを用いて、ＡＬＣパネルを取付ける際に、ＡＬＣパネルの敷き込み作業を一気に行い、ＡＬＣパネルをＨ形鋼からなる梁の所定位置に載置した後、一気に該ＡＬＣパネルの表面から電動ドリル等を用いて該固定ボルトを下穴なしで貫入できる。そしてＡＬＣパネルの下側に、前記Ｈ形鋼からなる梁に引っ掛けて固定金具を配置し、固定ボルトのネジ軸部を前記固定金具のボルト挿通孔に挿通し、下方からナットを固定ボルトのネジ軸部に螺合させ、固定ボルトのフランジと固定金具とでＡＬＣパネルを挟持することにより、ＡＬＣパネルをＨ形鋼からなる梁に取付けることができる。
【００１０】
さらに固定ボルトの軸部のフランジ側にねじ山を設けない部分を設け、かつ軸径をねじ径より細くすることや、ねじ部にスリットを設けると、固定ボルトの貫入時のほこりがこの空間に移動し、更にほこりを減少させることが可能となる。また、ナットを締め付ける時には、固定ボルト貫入時についたＡＬＣパネルの粉がこのスリット部に移動するためスムーズに締め付け作業を行う事ができる。このようなねじ山を設けない部分やスリットは併用して設けることもできる。
【００１１】
【発明の実施の形態】
次に本発明を図１から図４により、具体的に説明する。図１（Ａ）〜（Ｃ）は、本発明の実施例に係る固定ボルトを示す説明図である。図２は、図１の実施例に係る固定ボルトを使用して、ＡＬＣパネルをＨ形鋼からなる梁に取付ける場合を示す斜視図である。図３（Ａ）〜（Ｃ）は、本発明に係る固定ボルトのフランジ部の別の形態を示す説明図である。図４（Ａ）〜（Ｃ）は、本発明に係る固定ボルトのねじ部にスリット設けた形態を示す説明図である。図５は、本発明に係る固定ボルトを使用して、ＡＬＣパネルから天井仕上げ材を吊り下げる場合を示す説明図である。
【００１２】
図１に示す本発明の実施例に係る固定ボルト１は、長さ１２０ｍｍで、頭部は外形が円形の厚さ３．２ｍｍで直径が３０ｍｍφであるフランジ２からなり、ボルト軸部３は直径９ｍｍφで長さの半分程度先端側にねじ山の加工がされている。残りのボルト軸部３にはねじ山は設けられてはいない。このねじ山を設けないボルト軸部の軸径はねじ山の加工がされたネジ部４のねじ径より細くしてある。また、フランジ２の表面は平らで中心に略＋の凹部６を設け、またフランジ２の裏面には軸方向に向かって２ｍｍ厚くなる様にテーパー８を設け、さらに高さ１ｍｍの突起部７を放射状に３本設けてある。さらに他端の先端にはＡＬＣパネルに貫入できるように鋭利な刃５を設けた。
【００１３】
ＡＬＣパネルで床を構成する場合に、この固定ボルトを用いて、ＡＬＣパネルを取付ける場合を図２に従って説明する。まず、ＡＬＣパネルの敷き込み作業を一気に行い、ＡＬＣパネル１０をＨ形鋼からなる梁１２の所定位置に載置した後、一気に該ＡＬＣパネルの表面から電動ドリル等を用いて該固定ボルト１を下穴なしでフランジの表面が１０ｍｍ埋設する位置まで貫入させた。次にＡＬＣパネルの下側に、前記Ｈ形鋼からなる梁１２に引っ掛けて固定金具１１を配置し、固定ボルトのネジ部４を前記固定金具１１のボルト挿通孔に挿通し、下方からナット９を固定ボルトのネジ部４に螺合させ、固定ボルトのフランジと固定金具とでＡＬＣパネルを挟持することにより、ＡＬＣパネルをＨ形鋼からなる梁１２に取付ける。
【００１４】
この際、固定ボルト１の頭部のフランジ２の裏面に設けた突起部７により、ボルトの貫入作業時に必要な深さまで埋設でき、ナット９の締め付け作業をする際には、突起部７がＡＬＣパネルに食い込んでいるので回転を防止しながらナットの締め付け作業が完了する。フランジ２は裏面に軸方向に向かってテーパー８が形成されていることにより、さらに埋設が容易となる。また、固定ボルトの軸部のフランジ側にねじ山を設けない部分を設け、かつ軸径をねじ径より細くしてあることで、固定ボルトの貫入時のほこりがこの空間に移動し、ほこりの減少が可能となる。
また、固定ボルト１のフランジ２の表面の電動ドリル等を嵌め込む略＋の凹部６は、図３の（Ａ）〜（Ｃ）に示すように−の凹部や四角状の凹部でも、六角状の凸部でもよい。
【００１５】
図４は、略同一径のボルト軸部先端側にねじ山の加工を行い、固定ボルトの軸部のフランジ側のねじ山を設けない部分の軸径をねじ径と略同一にして、ネジ部にスリットを設けた本発明に係る固定ボルトの他の実施例である。図４（Ａ）では、螺旋状にスリット１４を設けた例であり、図４（Ｂ）は直線状にスリット１４を設けた例である。スリットは図４（Ｃ）に示すように四角溝でもＲ状溝としてもよい。このようにネジ部にスリットを設けると、ＡＬＣパネルに固定ボルトの貫入時の粉ほこりがこの空間に移動し、ほこりが減少する。また、ナットを締め付ける時には、固定ボルト貫入時についたＡＬＣパネルの粉がこのスリット部に移動するため、スムーズに締め付け作業を行う事ができる。
【００１６】
図５は、本発明に係る固定ボルトを使用して、ＡＬＣパネルから天井仕上げ材を吊り下げる吊りボルトに適用した例である。この場合は、床面を構成しているＡＬＣパネルを図２の場合と同様にして貫通させた固定ボルト１の先端側のネジ部に上・下のナット９を螺合して、ハンガー１５を固定ボルト１に取付ける。このハンガー１５で野縁受１６を吊り下げ、該野縁受１６に野縁１７を取付け、該野縁１７に天上仕上げ材を固定する。この場合にも本発明に係る固定ボルトを使用すると、固定ボルトを下穴なしでＡＬＣパネルに貫入することができ、床面を構成しているＡＬＣパネルから天井仕上げ材を吊り下げる取付け作業が容易となる。
【００１７】
また、図２に示すようなＡＬＣパネル面を水平にした床面のみならず、斜めの勾配屋根や垂直な壁へＡＬＣパネルを取り付ける場合にも同様に使用することができる。さらに、この固定ボルトを用い、床面の下に構成される天井の吊りボルトにすることや、壁に取り付く看板などのアンカーボルトとして用いることもできる。
【００１８】
【発明の効果】
本発明の軽量気泡コンクリートパネル固定ボルトは、上述の如く構成したので、軽量気泡コンクリートパネルの表面から電動ドリル等を用いて固定ボルトを下穴なしで貫入することが可能となる。また、固定ボルト頭部のフランジの裏面に設けた突起部により、ボルトの貫入作業時にボルトを必要な深さまで埋設できる。さらに、固定ボルトのネジ軸部にナットを螺合する時にはこの突起がＡＬＣパネルに食い込むため、共回りを防止することができる。これにより、ＡＬＣパネルに事前に下穴を開ける必要が無く、現場で必要以上の多くのほこりを発生させることもなく、しかも事前に穴あけする工程も無くすことができる。
【００１９】
さらに、固定ボルトの軸のフランジ側にねじ山を設けない部分を設け、かつ軸径をねじ径より細くすることや、ねじ部にスリットを設けることで、固定ボルトの貫入時のほこりがこの空間に移動し、更にほこりを減少させることが可能となる。また、ナットの締め付ける時に、固定ボルト貫入時についた軽量気泡コンクリートの粉がこのスリット部に移動するためスムーズに締め付け作業を行う事ができる。
【図面の簡単な説明】
【図１】（Ａ）〜（Ｃ）は本発明の実施例に係る固定ボルトを示す説明図である。
【図２】図１の実施例に係る固定ボルトを使用して、ＡＬＣパネルをＨ形鋼からなる梁に取付ける場合を示す斜視図である。
【図３】（Ａ）〜（Ｃ）は本発明に係る固定ボルトのフランジ部の別の形態を示す説明図である。
【図４】（Ａ）〜（Ｃ）は本発明に係る固定ボルトのねじ部にスリットを設けた形態を示す説明図である。
【図５】本発明に係る固定ボルトを使用して、ＡＬＣパネルから天井仕上げ材を吊り下げる場合を示す説明図である。
【符号の説明】
１　　固定ボルト
２　　フランジ
３　　ボルト軸部
４　　ねじ部
５　　刃
６　　凹部
７　　突起部
８　　テーパー加工部
９　　ナット
１０　　ＡＬＣパネル
１１　　固定金具
１２　　Ｈ形鋼からなる梁
１３　　凸部
１４　　スリット
１５　　ハンガー
１６　　野縁受
１７　　野縁
１８　　天井仕上材
【図１】
2004011678.tif 000003
【図２】
2004011678.tif 000004
【図３】
2004011678.tif 000005
【図４】
2004011678.tif 000006
【図５】
2004011678.tif 000007